(57)【要約】【課題】プラテンガラスとコンタクトガラスとの間を移動する密着型イメージセンサが、ガイド体の受枠と当接して衝撃を受けるのを避けて、原稿の読取精度を向上する。さらに、衝撃を避けるための構造を簡素化して、画像読取装置のコストを削減する。【解決手段】コンタクトガラス１９をプラテンガラス１０より上方に配置して、ガイド体２１の受枠２５で支持する。原稿載置台１２の底面からプラテンガラス１０の下面５１までの高さをＨ１、ガイド体２１の下端までの高さをＨ２とするとき、式（Ｈ２＞＝Ｈ１）を満足するようにガイド体２１を構成する。ガイド体２１に設けた受枠２５の突端の下面とガイド体２１の下端面５２との間に、コンタクトガラス１９へ向かって上り傾斜するガイド部５６を設ける。密着型イメージセンサ３６をガイド部５６に追随して昇降させながら副走査方向へ移動させて、ガイド体２１の下面を円滑に通過できるようにする。【選択図】図１
2012151570.tif 000002
【特許請求の範囲】
【請求項１】
原稿載置台に、プラテンガラスと、コンタクトガラスと、これら両ガラスの間に配される搬送原稿用のガイド体とが設けられており、
前記原稿載置台の内部に、
前記プラテンガラスの下面へ向かってばねで押し上げ付勢される読取ユニットと、
前記読取ユニットを副走査方向へ往復駆動する駆動機構とが配置されており、
前記読取ユニットは、プラテンガラスおよびコンタクトガラスの下面に密着して、載置原稿および搬送原稿を読取る密着型イメージセンサを備えており、
前記コンタクトガラスは、前記プラテンガラスより上方に配置されて、前記ガイド体の受枠で支持されており、
前記原稿載置台の底面から前記プラテンガラスの下面までの高さを（Ｈ１）、前記原稿載置台の底面から前記ガイド体の下端までの高さを（Ｈ２）とするとき、
式（Ｈ２＞＝Ｈ１）を満足するようにガイド体が構成されており、
前記受枠の突端の下面と前記ガイド体の下端との間に、前記読取ユニットを案内するガイド部が、前記コンタクトガラスへ向かって上り傾斜する状態で形成されていることを特徴とする画像読取装置。
【請求項２】
前記ガイド体の下端が、前記プラテンガラスの下面より上方に位置されている請求項１に記載の画像読取装置。
【請求項３】
前記読取ユニットは、
前記駆動機構で往復駆動されるキャリッジと、
前記キャリッジで上下方向へ変位可能に支持した密着型イメージセンサと、
前記密着型イメージセンサを前記コンタクトガラスの下面へ向かって押し上げ付勢するばねとを備えており、
前記密着型イメージセンサが、前記ガイド部に沿って上下方向へ変位しながら、前記プラテンガラスと前記コンタクトガラスとの間を移動する請求項１または２に記載の画像読取装置。
【請求項４】
前記コンタクトガラスの下面の隅部を切り欠いて接合部が形成されており、
前記接合部が前記受枠で下面側から支持されている請求項１、２または３のいずれかひとつに記載の画像読取装置。
【発明の詳細な説明】
【技術分野】
【０００１】
本発明は、コピー機、スキャナー、ファクシミリなどに適用される画像読取装置に関する。なかでも、プラテンガラス上に載置した原稿と、コンタクトガラスの上面を通過する搬送原稿のそれぞれを、１個の密着型イメージセンサで読取る形態の画像読取装置に関する。
【背景技術】
【０００２】
この種の画像読取装置においては、プラテンガラスとコンタクトガラスの隣接部分に、自動原稿搬送装置で搬送される原稿を斜め上向きに案内するガイド体が配置されている。ガイド体は、楔状の案内面と、案内面の下端側に連続して段落ち状に張り出される受枠とを一体に備えており、受枠はコンタクトガラスの下面を支持して、紙粉がコンタクトガラスの内部に入り込むのを阻止している。このように、コンタクトガラスを受枠で支持する形態のガイド体においては、受枠の下面がコンタクトガラスの下面より下方、つまり密着型イメージセンサの移動領域へ突出するのを避けられない。そのため、密着型イメージセンサをプラテンガラスとコンタクトガラスとの間で移動させるとき受枠が邪魔になるうえ、受枠の下面を潜り抜ける間に密着型イメージセンサが受枠に当接して衝撃を受け、焦点位置がずれるおそれがある。また、密着型イメージセンサが受枠と擦れあって生じたプラスチック粉が、プラテンガラスやコンタクトガラスの内面に付着するおそれがある。
【０００３】
上記のような不具合を避けるために、特許文献１の画像読取装置においては、密着型イメージセンサを退避構造で強制的に下方へ移動させた状態で、プラテンガラスとコンタクトガラスとの間を移動させ、同センサが受枠と当接するのを防止している。詳しくは、キャリッジの前後に設けた一対のガイド軸で密着型イメージセンサを上下方向へスライド自在に案内し、ガイド軸の周りに配置した圧縮コイル形のばねで同センサの全体を上向きに付勢している。さらに、画像読取装置の筐体の側にカムを配置し、密着型イメージセンサの前後に操作ピンを固定して、同センサが両ガラスの間を移動するとき、操作ピンをカムでばねの付勢力に抗して押し下げ操作している。
【０００４】
上記のように、密着型イメージセンサをばねで上向きに付勢することは特許文献２にも開示されている。そこでは、光源ユニットの下面に設けたガイドピンをキャリッジに設けたガイド穴で上下方向へスライド自在に案内し、ガイドピンの周りに配置した圧縮コイル形のばねで光源ユニットを上向きに付勢している。なお、特許文献２の画像読取装置において、光源ユニットをばねでプラテンガラスの下面に押し付けるのは、光源ユニットをプラテンガラスのガラス面のうねり、あるいは撓みに追随させて、光源と原稿の間隔を一定にし原稿面の照度を大きくするためである。
【先行技術文献】
【特許文献】
【０００５】
【特許文献１】特開２００２−２１８１７６号公報（段落番号００７１〜００７２、図６）
【特許文献２】特開平８−９１１３号公報
【発明の概要】
【発明が解決しようとする課題】
【０００６】
特許文献１の退避構造によれば、密着型イメージセンサがガイド体の受枠と当接するのを防止しながら、同センサをプラテンガラスとコンタクトガラスとの間で移動できる。しかし、密着型イメージセンサを上下方向へスライド案内するガイド構造と、同センサを押し上げ付勢するばねと、ばねの付勢力に抗して密着型イメージセンサを強制的に下方へ操作するカム機構を設ける必要があるため、退避構造の全体が複雑になりコストが嵩む。
【０００７】
本発明の目的は、プラテンガラスとコンタクトガラスとの間を移動する密着型イメージセンサが、ガイド体の受枠と当接して衝撃を受けるのを解消して、載置原稿および搬送原稿の読取精度を向上できる画像読取装置を提供することにある。
本発明の目的は、密着型イメージセンサが衝撃を受けるのを避けるための構造を簡素化して、従来のこの種の退避構造に比べてコストを削減できる画像読取装置を提供することにある。
【課題を解決するための手段】
【０００８】
本発明に係る画像読取装置は、原稿載置台１２に、プラテンガラス１０と、コンタクトガラス１９と、これら両ガラス１０・１９の間に配される搬送原稿用のガイド体２１とが設けてある。原稿載置台１２の内部には、プラテンガラス１０の下面５１へ向かってばね３７で押し上げ付勢される読取ユニット２７と、読取ユニット２７を副走査方向へ往復駆動する駆動機構とが配置してある。読取ユニット２７は、プラテンガラス１０およびコンタクトガラス１９の下面５３に密着して、載置原稿および搬送原稿を読取る密着型イメージセンサ３６を備えている。コンタクトガラス１９は、プラテンガラス１０より上方に配置してガイド体２１の受枠２５で支持する。原稿載置台１２の底面からプラテンガラス１０の下面５１までの高さをＨ１、原稿載置台１２の底面からガイド体２１の下端５２までの高さをＨ２とするとき、式（Ｈ２＞＝Ｈ１）を満足するようにガイド体２１を構成する。受枠２５の突端の下面とガイド体２１の下端５２との間に、読取ユニット２７を案内するガイド部５６を、コンタクトガラス１９へ向かって上り傾斜する状態で形成する。
【０００９】
ガイド体２１の下端５２を、プラテンガラス１０の下面５１より上方に位置させる。
【００１０】
読取ユニット２７は、駆動機構で往復駆動されるキャリッジ３５と、キャリッジ３５で上下方向へ変位可能に支持した密着型イメージセンサ３６と、密着型イメージセンサ３６をコンタクトガラス１９の下面５３へ向かって押し上げ付勢するばね３７とを備える。密着型イメージセンサ３６は、ガイド部５６に沿って上下方向へ変位しながら、プラテンガラス１０とコンタクトガラス１９との間を移動する。
【００１１】
コンタクトガラス１９の下面５３の隅部を切り欠いて接合部５５を形成する。接合部５５は受枠２５で下面側から支持する。
【発明の効果】
【００１２】
本発明においては、コンタクトガラス１９をプラテンガラス１０より上方に配置して、ガイド体２１に設けた受枠２５で支持した。また、プラテンガラス１０の下面５１までの高さＨ１と、ガイド体２１の下端５２までの高さＨ２に関して（Ｈ２＞＝Ｈ１）を満足するようにガイド体２１を構成して、ガイド体２１の下面側が読取ユニット２７の移動領域へ突出するのを避けるようにした。さらに、受枠２５の突端の下面とガイド体２１の下端５２との間に、コンタクトガラス１９へ向かって上り傾斜するガイド部５６を設けて、密着型イメージセンサ３６をガイド部５６で滑らかに案内できるようにした。したがって、本発明の画像読取装置によれば、プラテンガラス１０とコンタクトガラス１９との間を移動するとき、衝突衝撃に起因して密着型イメージセンサ３６が振動し、あるいは焦点位置がずれるのを解消し、載置原稿と搬送原稿の読取精度を向上できる。また、コンタクトガラス１９を上方に配置し、ガイド体２１の構造を改良して、密着型イメージセンサ３６が衝撃を受けるのを解消するので、従来のこの種の退避構造に比べて、衝撃を回避するための構造を格段に簡素化して画像読取装置のコストを削減できる。
【００１３】
ガイド体２１の下端５２を、プラテンガラス１０の下面５１より上方に位置させると、ガイド体２１の寸法あるいは組立時の位置がばらつく場合でも、ガイド体２１の下面側が読取ユニット２７の移動領域へ突出するのを確実に避けることができる。したがって、プラテンガラス１０とコンタクトガラス１９との間を移動するとき、密着型イメージセンサ３６が衝撃を受けて振動し、あるいは焦点位置がずれるのを、さらに確実に防止できる。
【００１４】
密着型イメージセンサ３６をキャリッジ３５で上下動可能に支持し、ばね３７で押し上げ付勢する画像読取装置によれば、衝撃を回避するための構造をさらに簡素化できる。例えば、読取ユニット２７の全体を上下動可能に支持し、あるいはキャリッジ３５を上下動可能に支持する場合に比べて、上下動するための構造を格段に簡素化でき、その分だけ衝撃を回避するための構造をさらに簡素化できるからである。また、密着型イメージセンサ３６をガイド体２１に設けたガイド部５６に沿って上下方向へ変位させるので、キャリッジ３５は副走査方向へ往復移動できればよく、その駆動構造を簡素化できる。さらに、密着型イメージセンサ３６を備えた読取ユニット２７は、元来、密着型イメージセンサ３６をプラテンガラス１０およびコンタクトガラス１９に密着させるためのばね３７を備えている。したがって、このばね３７を利用して密着型イメージセンサ３６を押し上げ付勢することにより、衝撃を回避するための構造をさらに簡素化して、画像読取装置の全体コストを削減できる。
【００１５】
コンタクトガラス１９の下面５３の隅部に形成した接合部５５を、受枠２５で下面側から支持すると、プラテンガラス１０の下面５１と、コンタクトガラス１９の下面５３との間の高さ寸法ｈを小さくできる。このように、高さ寸法ｈを小さくすると、ガイド部５６の傾斜角度を小さくできる。したがって、ガイド部５６で案内されるときの密着型イメージセンサ３６の上下方向の動きを小さくして、密着型イメージセンサ３６を滑らかにしかも安定した状態でガイド部５６に沿って移動できる。また、接合部５５を受枠２５で下面側から支持すると、コンタクトガラス１９と受枠２５の接合面を階段状にして、接合面の構造を複雑化し、その長さを大きくできる。したがって、搬送原稿から分離した紙粉が、コンタクトガラス１９と受枠２５との接合面を介して、コンタクトガラス１９の下面５３側へ侵入するのをさらに確実に防止できる。
【図面の簡単な説明】
【００１６】
【図１】本発明に係る画像読取装置の要部の縦断正面図である。
【図２】本発明に係る画像読取装置が適用される複合機の概念図である。
【図３】本発明に係る画像読取装置の平面図である。
【図４】本発明に係る画像読取装置の縦断側面図である。
【図５】搬送原稿を読み取る状態の読取ユニットを示す縦断正面図である。
【図６】載置原稿を読み取る状態の読取ユニットを示す縦断正面図である。
【図７】ガイド体の別の実施例を示す断面図である。
【発明を実施するための形態】
【００１７】
（実施例）  図１から図６は、本発明に係る画像読取装置をコピー機能とファクシミリ機能とを備えた複合機に適用した実施例を示す。なお、本発明における前後、左右、上下とは、各図に示す交差矢印と、各矢印の近傍に表記した前後、左右、上下の表示に従う。
【００１８】
図２において複合機１は、給紙カセット２と、給紙カセット２から用紙給送路３に沿って送られてきた記録用紙４に対してトナー像を転写する画像記録装置５を備える。画像記録装置５の上方には、画像が転写された記録用紙４に対して加熱・加圧処理を施してトナー像を記録用紙４に定着させる定着装置６が設けられている。複合機１の上部には、画像読取装置７と各種の操作ボタンを有する操作パネル８とが設けられており、画像読取装置７の上面には原稿押さえカバー１１が配置され、その内部に自動原稿搬送装置（以下、単にＡＤＦと記す。）９が設けられている。
【００１９】
図２および図３に示すように、画像読取装置７は、原稿を載置するためのプラテンガラス１０が配設された原稿載置台１２と、プラテンガラス１０上に載置した原稿を押える原稿押さえカバー１１とを備えている。原稿押さえカバー１１は、左右一対のヒンジ１３・１３で揺動可能に支持されている。図３に示すように、原稿載置台１２は、上向きに開口する四角箱状のフレーム１６と、フレーム１６の上開口を塞ぐフレームカバー１７などで構成する。フレームカバー１７の中央には、四角形の開口が形成されており、この開口を塞ぐ状態でプラテンガラス１０と、カバープレート１８と、コンタクトガラス１９とが配置されている。
【００２０】
図３に示すようにカバープレート１８は、前後に長い四角枠状のプラスチック成形品からなり、その開口部を塞ぐ状態でコンタクトガラス１９が装着されている。コンタクトガラス１９の前後縁の下面は、フレームカバー１７に設けた支持壁２０で受け止められている（図４参照）。カバープレート１８のプラテンガラス１０側の側枠部の上面には、ガイド体２１と、位置決め部２２とが一体に形成されている。
【００２１】
ガイド体２１は、ＡＤＦ９で搬送される搬送原稿を斜め上向きに案内する傾斜案内面２４と、傾斜案内面２４の下端側に連続して段落ち状に張り出される受枠２５を一体に備えている（図５参照）。コンタクトガラス１９に臨むＡＤＦ９の搬送路には、搬送原稿をコンタクトガラス１９へ向かって押し付ける押え枠４９が配置されており、ばね５０で下向きに付勢されている。位置決め部２２は、プラテンガラス１０のホーム位置側（左端）の上面に被さっており、載置原稿をプラテンガラス１０の上に載置するときの位置基準として機能する。
【００２２】
フレーム１６の内部には、載置原稿および搬送原稿を読み取る読取ユニット２７と、読取ユニット２７を左右の走査方向（副走査方向）に沿って駆動する駆動機構と、読取ユニット２７を移動案内するガイド軸２８などが配設されている。図３に示すように駆動機構は、フレーム１６の右奥のコーナ部に配置した減速機構を含むモータ２９と、モータ２９の出力軸に固定される原動プーリ３０と、フレーム１６の左奥コーナ部に配置した従動プーリ３１とを含む。両プーリ３０・３１の間には、タイミングベルト３２が巻き掛けられている。
【００２３】
読取ユニット２７は、上向きに開口する前後に長い箱状のキャリッジ３５と、キャリッジ３５内に設けられた密着型イメージセンサ（以下、単にＣＩＳと記す。）３６と、ＣＩＳ３６を押し上げ付勢する前後一対の圧縮コイル形のばね３７とで構成する。キャリッジ３５の後端の左右には、ガイド軸２８でスライド案内される一対のスライドブロック３８が設けられており（図４参照）、キャリッジ３５の下面の前部にはガイドレール３９で案内されるスライド突起４０が設けられている。キャリッジ３５は、一方のスライドブロック３８に設けた接合部４１を介してタイミングベルト３２に固定されており、先のモータ２９を正逆いずれかへ駆動することにより、読取ユニット２７の全体を副走査方向へ移動させることができる。
【００２４】
図１に示すように、ＣＩＳ３６は、前後方向に長い四角箱状のハウジング４２を基体にして、その内部に左右一対のキセノンランプ４３と、レンズアレイ４４と、イメージセンサ基板４５とが収容されている。キセノンランプ４３で発光した光を原稿へ向かって照射し、原稿からの反射光をレンズアレイ４４を介してイメージセンサ基板４５上に結合することにより、原稿画像を読み取って電気信号に変換し出力できる。ハウジング４２の上開口は保護カバー４６で塞がれており、ハウジング４２の上端の前後にはスペーサ４７が突出状に設けられている。スペーサ４７はプラテンガラス１０あるいはコンタクトガラス１９の下面５３に密着して、ＣＩＳ３６の焦点を原稿面に一致させるために設けられている。
【００２５】
ハウジング４２はキャリッジ３５で上下スライドのみ可能に支持されており、スペーサ４７がプラテンガラス１０またはコンタクトガラス１９と常に接触するように、ばね３７で押し上げ付勢されている。スペーサ４７の両側端はそれぞれ四半円状に丸めてあり、とくに、後述するガイド部５６に当接する側の丸められた円弧端部を符号４８で示す（図１、図５参照）。なお、ばね３７で押し上げ付勢された状態のハウジング４２の上下方向のスライドストロークは、後述する高さ寸法ｈより大きく設定されている。
【００２６】
先に説明したように、ＣＩＳ３６はプラテンガラス１０とコンタクトガラス１９との間を移動するが、両ガラス１０・１９間の移動を円滑に行うために、コンタクトガラス１９の配置構造とガイド体２１の構造を次のように構成した。図１および図５に示すように、コンタクトガラス１９をプラテンガラス１０より上方に配置して、そのプラテンガラス１０との対向縁をガイド体２１に設けた受枠２５で下面側から支持した。
【００２７】
また、図５に示すように原稿載置台１２の底面からプラテンガラス１０の下面５１までの高さをＨ１、原稿載置台１２の底面からガイド体２１の下端面（下端）５２までの高さをＨ２とするとき、式（Ｈ２＞＝Ｈ１）を満足できるようにガイド体２１を形成した。この実施例では（Ｈ２＝Ｈ１）として、ガイド体２１の下端面５２をプラテンガラス１０の下面５１と面一状に設けて、両者５１・５２の隣接部の間に段差が形成されるのを避けるようにした。
【００２８】
さらに、受枠２５の突端の下部とガイド体２１の下端面５２との間に、コンタクトガラス１９へ向かって上り傾斜するガイド部５６を形成して、ＣＩＳ３６を下端面５２およびガイド部５６で滑らかに案内できるようにした。加えて、受枠２５で支持されるコンタクトガラス１９の下面５３の下隅を階段状に切り欠いて接合部５５を形成し、この接合部５５の下面を受枠２５で支持した。
【００２９】
このように、上凹み状に形成した接合部５５が受枠２５で支持されていると、プラテンガラス１０の下面５１と、コンタクトガラス１９の下面５３との間の高さ寸法ｈを小さくすることができる。これに伴い、ガイド部５６の傾斜角度を小さくして、ガイド部５６をコンタクトガラス１９の下面５３に滑らかに連続させることができる。上記のように接合部５５を設けることにより、コンタクトガラス１９とガイド体２１とは階段状の接合面を介して隣接する。したがって、搬送原稿から分離した紙粉が、コンタクトガラス１９とガイド体２１の隣接面からコンタクトガラス１９の下面５３側へ侵入するのを防止できる。
【００３０】
以上のように構成した画像読取装置７によれば、プラテンガラス１０とコンタクトガラス１９との間を移動するとき、ＣＩＳ３６をガイド体２１の下端面５２とガイド部５６に追随して上下動させながら左右方向へ移動できる。例えば図６に示すように、プラテンガラス１０の下面５１に位置しているＣＩＳ３６を、コンタクトガラス１９の下面５３へと移動させる場合には、スペーサ４７はプラテンガラス１０の下面５１から、ガイド体２１の下端面５２を通過して、ガイド部５６で受止められる。このとき、ガイド体２１の下端面５２はプラテンガラス１０の下面５１と面一になっているので、スペーサ４７はプラテンガラス１０の下面５１からガイド体２１の下端面５２へ支障なく移動できる。
【００３１】
ガイド体２１の下端面５２を通過したスペーサ４７は、図１に示すようにガイド部５６で受止められるが、下端面５２とガイド部５６との隣接部分では、スペーサ４７の円弧端部４８が当接しながら隣接部分を乗り越える。そのため、スペーサ４７およびＣＩＳ３６は、衝撃を伴うこともなくガイド体２１の下端面５２からガイド部５６へと滑らかに移動できる。スペーサ４７の円弧端部４８がガイド部５６で受止められた状態では、ばね３７で押し上げ付勢されたＣＩＳ３６がガイド部５６の傾斜面に追随して徐々に上昇しながら左方へ移動する。
【００３２】
スペーサ４７の円弧端部４８が、ガイド部５６とコンタクトガラス１９の下面５３との隣接部分に達すると、円弧端部４８よりも先にスペーサ４７の上面がコンタクトガラス１９の下面５３に当接して、ＣＩＳ３６を安定した状態で受け止める。したがって、搬送原稿の読取り位置へ移動する過程でＣＩＳ３６が衝撃を生じることはなく、ＣＩＳ３６の斜め上方への移動、あるいはコンタクトガラス１９の下面５３への移動を、連続的で円滑な動作とすることができる。このように、上記構成の画像読取装置７によれば、読取ユニット２７を駆動機構で移動操作するだけで、ＣＩＳ３６をガイド部５６に追随して昇降させて、プラテンガラス１０とコンタクトガラス１９との間の移動を円滑に行うことができる。
【００３３】
コンタクトガラス１９の下面５３に位置しているＣＩＳ３６を、プラテンガラス１０の下面５１へと移動させる場合には、ＣＩＳ３６がばね３７の付勢力に逆らいながら徐々に押し下げられる。このとき、ばね３７の付勢力に対抗するのは、スペーサ４７の円弧端部４８がガイド部５６から受ける当接反力の下向きの分力となる。スペーサ４７がガイド部５６からガイド体２１の下端面５２へ移動する過程では、スペーサ４７の円弧端部４８が、ガイド部５６と下端面５２との隣接部分に当接しながら乗り越える。そのため、スペーサ４７およびＣＩＳ３６は、衝撃を伴うこともなくガイド部５６からガイド体２１の下端面５２へと滑らかに移動できる。以後は、同一平面上に位置する下端面５２とプラテンガラス１０の下面５１に沿ってスペーサ４７が移動するので、衝撃を伴うこともなくＣＩＳ３６をホーム位置へ戻すことができる。
【００３４】
コンタクトガラス１９をプラテンガラス１０より上方においてガイド体２１で支持し、ガイド体２１の下面がプラテンガラス１０の下面５１より下方に突出するのを避けると、ＣＩＳ３６がガイド体２１の下面を通過するとき衝撃を受けるのを解消できる。さらに、本来ＣＩＳ３６を各ガラス１０・１９に密着させるためのばね３７を利用して、ＣＩＳ３６をガイド部５６に沿って上昇させ、コンタクトガラス１９に密着させるので、より簡単な構造でＣＩＳ３６を左右移動させながら昇降移動することができる。したがって、従来のこの種の退避構造に比べて、ＣＩＳ３６が衝撃を受けるのを避けるための構造を簡素化して、画像読取装置７の全体コストを削減でき、ＣＩＳ３６による原稿の読み取りを常に精度よく行なうことができる。
【００３５】
ＣＩＳ３６を上下にスライド変位させて、プラテンガラス１０とコンタクトガラス１９の高さの違いを吸収するので、ＣＩＳ３６を支持するキャリッジ３５は同一平面に沿って副走査方向へ移動すればよい。したがって、キャリッジ３５を支持するためのガイド軸２８を直線化し、あるいは駆動機構の簡素化を図ることができる。
【００３６】
図７はガイド体２１の別の実施例を示す。そこでは、ガイド体２１の下面の全体にわたってガイド部５６を形成して、先の実施例における下端面を省略した。この実施例においては、ガイド部５６の傾斜方向の下端部分がガイド体２１の下端５２となり、原稿載置台１２の底面から下端５２までの高さＨ２を、プラテンガラス１０の下面５１までの高さＨ１と等しくした。他は先の実施例と同じであるので、同じ部材に同じ符号を付してその説明を省略する。
【００３７】
このように、プラテンガラス１０の下面５１の隅部をガイド部５６の始端にして、コンタクトガラス１９へ向かって上り傾斜させると、ガイド部５６の左右長さが大きくなる分だけガイド部５６の傾斜角度を緩やかにできる。したがって、ガイド体２１の下面を通過するときのＣＩＳ３６の左右移動をさらに円滑に行える。
【００３８】
上記の実施例における読取ユニット２７においては、ＣＩＳ３６をキャリッジ３５に対して昇降移動できるようにしたが、その必要はない。例えば、ガイド軸２８とガイドレール３９でキャリッジ台を往復移動可能に案内し、キャリッジ３５をキャリッジ台で昇降スライド自在に支持し、これら両者の間に配置したばね３７でキャリッジ３５をＣＩＳ３６とともに押し上げ付勢することができる。その場合のキャリッジ３５は、例えばキャリッジ台の前後に固定したガイド軸で昇降スライド自在に支持して、ガイド軸の周囲に配置したばね３７でキャリッジ３５を押し上げ付勢することができる。
【００３９】
コンタクトガラス１９は、その下隅に切り欠いた接合部５５を受枠２５で支持するのが好ましいが、接合部５５を省略して、コンタクトガラス１９の下隅を受枠２５で直接に支持することができる。また、コンタクトガラス１９の下隅を斜めに切り欠いて、接合部５５を平坦な傾斜面で形成することができる。ガイド体２１のガイド部５６は、突弧面や凹弧面で形成することができる。
【符号の説明】
【００４０】
７  画像読取装置
９  自動原稿搬送装置（ＡＤＦ）
１０  プラテンガラス
１２  原稿載置台
１９  コンタクトガラス
２１  ガイド体
２７  読取ユニット
３５  キャリッジ
３６  密着型イメージセンサ（ＣＩＳ）
４７  スペーサ
５１  プラテンガラスの下面
５２  ガイド体の下端（下端面）
５５  接合部
５６  ガイド部
Ｈ１  原稿載置台の底面からプラテンガラスの下面までの高さ
Ｈ２  原稿載置台の底面からガイド体の下端までの高さ
【図１】
2012151570.tif 000003
【図２】
2012151570.tif 000004
【図３】
2012151570.tif 000005
【図４】
2012151570.tif 000006
【図５】
2012151570.tif 000007
【図６】
2012151570.tif 000008
【図７】
2012151570.tif 000009